(57)【特許請求の範囲】
【請求項１】
畳表、第一クッション層、応力分散板、インシュレーションボード、第二クッション層、及び裏シートが順次積層された構造を有する運動用畳であって、第二クッション層がポリオレフィンフォームから成り、その四隅はその他の部分に比べてより硬い又は嵩密度の大きいポリオレフィンフォームから成っており、第二クッション層の少なくとも四隅の部分が補強されていることを特徴とする該運動用畳。
【請求項２】
畳表、第一クッション層、インシュレーションボード、応力分散板、第二クッション層、及び裏シートが順次積層された構造を有する運動用畳であって、第二クッション層がポリオレフィンフォームから成り、その四隅はその他の部分に比べてより硬い又は嵩密度の大きいポリオレフィンフォームから成っており、第二クッション層の少なくとも四隅の部分が補強されていることを特徴とする該運動用畳。
【請求項３】
第二クッション層において、補強された四隅は発泡率が１０倍ないし３０倍のポリエチレンフォームから成り、その他の部分は発泡率が２０倍ないし４５倍のポリエチレンフォームから成っている、請求項１又は２に記載された運動用畳。
【請求項４】
第二クッション層のポリエチレンフォーム層の厚さ全体にわたって補強された四隅の各部分が、夫々四角柱、三角柱又は四分の一円柱の形態を有することを特徴とする、請求項３に記載された運動用畳。
【請求項５】
第二クッション層が更にポリスチレンフォームを含む、請求項１〜４のいずれか一項に記載された運動用畳。
【請求項６】
第二クッション層に含まれるポリスチレンフォームの四隅が、その他の部分に比べてより硬い又は嵩密度の大きいポリスチレンフォームから成り補強されている、請求項５に記載された運動用畳。
【請求項７】
畳表、第一クッション層、応力分散板、インシュレーションボード、第二クッション層、及び裏シートが順次積層された構造を有する運動用畳であって、第二クッション層がポリスチレンフォームから成り、その四隅はその他の部分に比べてより硬い又は嵩密度の大きいポリスチレンフォームから成っており、第二クッション層の少なくとも四隅の部分が補強されていることを特徴とする該運動用畳。
【請求項８】
畳表、第一クッション層、インシュレーションボード、応力分散板、第二クッション層、及び裏シートが順次積層された構造を有する運動用畳であって、第二クッション層がポリスチレンフォームから成り、その四隅はその他の部分に比べてより硬い又は嵩密度の大きいポリスチレンフォームから成っており、第二クッション層の少なくとも四隅の部分が補強されていることを特徴とする該運動用畳。

【発明の詳細な説明】
【０００１】
【発明の属する技術分野】
本発明は、機能強化された運動用畳、特に柔道畳に関する。
【０００２】
【従来の技術】
これまでに既に、各種競技及びそれらの練習等の為に用いられる運動用畳に関して、様々な型のものが提供されている。
この中でも、特に柔道畳に関しては、柔道運動の特性から、耐久性、寸法安定性、緩衝性等の多くの特性が要求されている。
【０００３】
【発明が解決しようとする課題】
従来の柔道畳等にあっては、その「四隅（四角）」の強度が畳のその他の部分に比べて不充分であり、その為に、使用するにつれて畳の四隅において足の沈み込みが起こり、使用に支障が起きるようになり、更に、練習中又は競技中に畳の四隅に足の指が引っかかる等の事故にも結びつく危険もあった。
本発明者は、以上の課題を解決すべく、運動用畳の一構成要素であるクッション層の少なくとも四隅の部分を補強することによって、上記のような危険が解消できることを見出し、本発明を完成させた。
【０００４】
【課題を解決するための手段】
即ち、本発明は、少なくとも四隅の部分が補強されているクッション層を有する運動用畳に係わる。
本発明の第一の態様として、畳表、第一クッション層、応力分散板、インシュレーションボード、第二クッション層、及び裏シートが順次積層された構造を有する運動用畳であって、第二クッション層の少なくとも四隅の部分が補強されていることを特徴とする該運動用畳に係わる。
更に本発明は、第二の態様として、畳表、第一クッション層、インシュレーションボード、応力分散板、第二クッション層、及び裏シートが順次積層された構造を有する運動用畳であって、第二クッション層の少なくとも四隅の部分が補強されていることを特徴とする該運動用畳に係わる。
第一の態様の運動用畳は、主に、中学・高校・大学等の道場又は警察の道場等で使用するのに適しており、一方、第二の態様の運動用畳は第一の態様の運動用畳より柔らかさがある為に、主に、初心者や学校の授業等で使用するのに適している。
本発明の運動用畳の大きさは、従来の運動用畳の大きさと同じであり、通常、縦が１８００mm前後、横が９００mm前後、厚さが６０mm前後である。
尚、少なくとも四隅の部分が以下に記載されているように補強されているクッション層が含まれている限り、上記第一又は第二の態様以外の構成を有するものも本発明の運動用畳に包合されるものである。
【０００５】
以下、本発明の第一又は第二の態様を構成する各要素について説明する。
「畳表」は、畳の裏面の一部を除いた畳の表面全体を覆うものであり、通常はポリ塩化ビニール製であるが、環境保護に配慮した素材、例えば、ポリオレフィンを使用したり、更に、衛生的な観点から抗菌処理した素材を使用することもできる。尚、抗菌処理は当業者には公知の適当な方法で行うことが出来る。
「第一クッション層」は適度な硬さと柔らかさを有しており、例えば、投げられた際の受身での手の平の痛さを軽減し、又、相手を投げる際等に足元にかかる荷重を分散させるものである。この層によって運動者の手首、肘、膝、及び足首等に対する負担が大幅に軽減することができる。通常、素材としてはエチレン−酢酸ビニル共重合体（ＥＶＡ）又はポリエチレン等が使用されている。又、厚さは用途・目的等によっても多少異なるが、通常、７mm〜１８mmの範囲が適当である。警察の道場では逮捕術等の修練の目的で靴足で使用する為に、硬めの低反発性フォームを使用し、それ以外の道場では、より柔らかめの高弾性フォームを使用することが多い。
「応力分散板」はプラスチック製で、例えば、一枚のプラスチック板又は三層構造から成る中空積層板である。特に、ハニカム構造とすることによって強度に大変優れてものとすることが出来、ベニヤ板のように湿気を吸収することによって割れ易くなったり欠け易くなったりすることがない。これは畳全体にかかる応力を分散して、畳の強度及び耐久性を向上させるものである。その厚さは用途・目的等によっても多少異なるが、通常、２mm〜５mmの範囲が適当である。
【０００６】
「インシュレーションボード」は畳全体に形状の安定に寄与し、通常、素材としては木のチップが使用されている。このインシュレーションボードが含まれている為に、畳の優れた寸法安定性が得られる。その厚さは用途・目的等によっても多少異なるが、通常、１０mm〜２５mmの範囲が適当である。
「裏シート」は床材を保護する為に畳の裏面に設けられたものであり、例えば、ポリエチレン等が紙にラミネートされた素材からできている。
【０００７】
「第二クッション層」は柔軟で優れた緩衝性を有し、運動者が投げられた際の衝撃を受け止め吸収する部分であり、脳しんとう又は運動者の体側・足・腰等の打撲等の怪我の防止の予防に役立つ。素材としては、通常、ポリエチレンフォーム及びポリプロピレンフォーム等のポリオレフィンフォーム並びにポリスチレンフォーム等が使用されている。
第二クッション層は、二種以上の異なる素材の層を積層して形成することもできる。例えば、ポリエチレンフォーム層の上にポリスチレンフォーム層を重ねて、二層構造から成る第二クッション層とすることができる。
その厚さは用途・目的等によっても多少異なり、例えば、上級者用の畳には充分に緩衝性を高める為に、通常、２０mm〜４０mmの範囲のポリエチレンフォーム層から成る第二クッション層が適当である。
それ以外の用途では、通常、ポリエチレンフォーム層は５mm〜２０mmの範囲が適当であり、このような場合には、畳全体の厚さ・硬さを調整する為にポリエチレンフォーム層の上に、例えば、ポリスチレンフォーム層を適宜設けることが出来る。尚、ポリスチレンフォームと同様に軽く成形性に富んだ材質であれば、ポリスチレンフォームに代えてこの層の材料として使用することもできる。
【０００８】
本発明の運動用畳の第一又は第二の態様においては、この第二クッション層の少なくとも四隅の部分が該クッション層の厚さ全体にわたって補強されていることを特徴とする。
こうすることによって、この第二クッション層の有する優れた緩衝性を損なうことなく、先に述べた、四隅の部分における足の沈み込み及び足の指が引っかかる等による怪我・事故を回避する効果がある。
二種以上の異なる素材の層が積層されて成る第二クッション層の場合には、少なくともそのうちの一層の四隅が補強されていることが必要であり、又、補強される四隅部分はそれが含まれる層の厚さ全体にわたって補強されていることが好ましい。
補強方法としては、例えば、補強する層の四隅をその他の部分に比べてより硬いか、又は嵩密度の大きい素材から構成することが考えられる。
具体的には、例えば、補強された四隅には発泡率が１０倍ないし３０倍のより密なポリエチレンフォームを使用し、その他の部分には発泡率が２０倍ないし４５倍のポリエチレンフォームを使用することによって、四隅の部分をポリエチレンフォームから成る第二クッション層の厚さ全体にわたって補強することが出来る。
第二クッション層のうちの補強される層の四隅部分とその他の部分とを異なる素材を用いて形成することも出来る。しかしながら、同じ種類の素材を使用することによってその製造が容易になり、又、素材が同じである為に収縮率がその層全体で均一になり安定化する等の理由で、第二クッション層のうちの補強される層の四隅部分とその他の部分とは同じ素材を用いて形成することが好ましい。
【０００９】
第二クッション層の厚さ全体にわたって補強される四隅の各部分は様々な形態を採ることが出来る。例えば、夫々四角柱、三角柱又は四分の一円柱の形態を例示することが出来る。
四隅の各補強部分の大きさは夫々適当に設定することができるが、余り大きいと第二クッション層全体の緩衝性が低下するし、余り小さいと本発明の特有の効果を充分に得ることができない。又、畳全体のバランスを考慮すると、四隅の各補強部分の断面積は互いに等しいほうが好ましい。
四隅の各補強部分が四角柱の形態の場合には、例えば、縦横一辺の長さが５０mm〜２００mmの範囲の正方形の断面が適当である。又、三角（直角三角形）柱形態であれば、例えば、直角を挟む二辺のそれぞれの長さが５０mm〜２００mmの範囲の直角三角形の断面が適当である。その他の形態の場合も、同程度の大きさのものが適当である。
尚、補強部分の断面積は、第二クッション層の厚さ全体にわたって一定であることが畳全体のバランスの点からは好ましい。しかしながら、補強部分の製造条件等によって、二層以上から成る第二クッション層中の各層間で異なっていても良いし、また、補強される各層内においても一定である必要はなく、例えば、その中心部で補強部分の断面積が広がったり又は狭まったりしても良い。更に、補強部分の断面積の形状は第二クッション層の厚さ全体にわたって一定でなくても良い。
四隅部分も含まれるように、向かい合う一対の片（例えば、畳の横）全体に沿って補強部分を設けることも出来る。この場合には、第二クッション層における補強部分は二つの部分から構成されることになる。
【００１０】
本発明の運動用畳は、当該技術分野において従来公知の通常の方法で、従来の畳と同様に製造することができる。
例えば、畳表と第一クッション層、及び第一クッション層と応力分散板は従来公知の接着剤で接着することができる。特に、上級者用の畳及び警察道場用の畳の場合には強度を上げる為にこのような接着加工を施すことが好ましい。
更に本発明の運動用畳は、畳全体、又は畳表と第一クッション層以外の部分全体にわたって縫製されていることが好ましい。こうすることで、リサイクルの際に分別がしやすくなる等の利点が得られる。
第二クッション層において、その厚さ全体にわたって補強された部分とそれ以外の部分とが同じ素材から成っているような場合には、例えば、ポリエチレンフォームからホットガン等を使用した熱圧着によってこれらを一体化して第二クッション層を簡単に形成することが出来る。一方、これらが互いに異なる素材から成っているような場合には、ホットメルト（溶着）によって第二クッション層を簡単に形成することが出来る。
更に、第二クッション層における補強部分とそれ以外の部分との結合面が「かんのん」構造と成るように成形して、これらの各部分を互いに接着せずに、そのオス・メスの噛み合わせによりこれらを組み合わせることも可能である。
【００１１】
【発明の効果】
本発明の運動用畳では、従来の柔道畳等にあって問題とされていた、「四隅（四角）」の強度不足による、畳の四隅における足の沈み込み、及び四隅に足の指が引っかかる等の事故を防ぐことができる。
【図面の簡単な説明】
【図１】本発明の第一の態様を有する上級者用の運動用畳の、第二クッション層における補強部分を含む断面の一部を示す図である。図中、大小の丸は接着加工されている個所を示し、縦及び斜めに引かれた直線は縫目を示す。
【図２】本発明の第一の態様を有する学校道場用（Ａ）及び警察道場用（Ｂ）の運動用畳の断面の一部を示す図である。図中、大小の丸は接着加工されている個所を示し、縦及び斜めに引かれた直線は縫目を示す。
【図３】本発明の第二の態様を有する学校授業用の運動用畳の断面を示す図である。図中、大小の丸は接着加工されている個所を示し、縦及び斜めに引かれた直線は縫目を示す。
【図４】本発明の運動用畳の第二クッション層における補強部分の幾つかの形態例を示す平面図である。
【符号の説明】
▲１▼……畳表、▲２▼……第一クッション層、▲３▼……応力分散板、▲４▼……インシュレーションボード、▲５▼……第二クッション層（ポリスチレンフォーム）、▲６▼……第二クッション層（ポリエチレンフォーム）、▲７▼……裏シート、▲８▼……第二クッション層における補強部分
【図１】
0003717704.tif 000002
【図２】
0003717704.tif 000003
【図３】
0003717704.tif 000004
【図４】
0003717704.tif 000005